(57)【特許請求の範囲】
【請求項１】
高さ方向に積み重ねられた複数段のサブラックを有し、
各サブラックは、
外部フレームに固定された支持部と、
各々が電源ユニットに接続されると共に伝送媒体に接続され、同一平面上で前記高さ方向に直交する幅方向に整列した複数台の通信機器を着脱可能に搭載する搭載部とを有し、前記搭載部は、前記電源ユニットを更に搭載すると共に、前記通信機器と前記電源ユニットが前記搭載部から着脱することができるように前記高さ方向及び前記幅方向に直交する長さ方向において前記支持部に対して移動可能とされている収納装置において、
前記搭載部は、前記高さ方向において異なる高さを有する第１及び第２の面を有し、前記第１の面は前記電源ユニットを収納し、前記第２の面は前記伝送媒体を前記電源ユニットと異なる高さで収納し、前記第１及び第２の面は前記搭載部が前記支持部に対して移動する際に一体として移動することを特徴とする収納装置。
【請求項２】
前記搭載部は前記第１及び第２の面に対して垂直に配置される前板部を有し、前記前板部は前記幅方向に延びる切欠き部を有し、前記伝送媒体を前記搭載部から前記長さ方向に沿った二方向に導出可能にすることを特徴とする請求項１記載の収納装置。
【発明の詳細な説明】
【０００１】
【発明の属する技術分野】
本発明は、通信機器を収納するための収納装置に関する。本発明は、例えば、メディアコンバーターを収納する収納装置に好適である。ここで、メディアコンバーターとは、光ファイバーと非シールドより対線（ＵＴＰ：Ｕｎｓｈｉｅｌｄｅｄ Ｔｗｉｓｔｅｄ Ｐａｉｒ Ｃａｂｌｅ）や光と光（シングルモードとマルチモード）などの異なる伝送媒体（メディア）を伝播する信号を変換する装置である。
【０００２】
【従来の技術】
ＬＡＮ（Ｌｏｃａｌ Ａｒｅａ Ｎｅｔｗｏｒｋ）の代表的なＭＡＣ（Ｍｅｄｉａ Ａｃｃｅｓｓ Ｃｏｎｔｒｏｌ）技術であるＣＳＭＡ／ＣＤ（ＣａｒｒｉｅｒＳｅｎｓｅ Ｍｕｌｔｉｐｌｅ Ａｃｃｅｓｓ ｗｉｔｈ Ｃｏｌｌｉｓｉｏｎ Ｄｅｔｅｃｔｉｏｎ）はデータを送信したいステーションが他の送信の有無を確認し、通信中で無ければデータ送信を開始する。伝送速度が１００Ｍｂｐｓで信号をベースバンド伝送する高速ＬＡＮは１００ＢＡＳＥ規格と呼ばれ、１００ＢＡＳＥ−ＴＸや１００ＢＡＳＥ−ＦＸを含む。１００ＢＡＳＥ−ＴＸは伝送媒体にＵＴＰを使用し、１００ＢＡＳＥ−ＦＸは伝送媒体に光ケーブルを使用する。
【０００３】
これらの伝送媒体上の信号を変換するメディアコンバーターは、ＬＡＮのイーサネットを数キロに亘って光ケーブルで伝送したり、ＦＴＴＨ（Ｆｉｂｅｒ ｔｏ ｔｈｅ Ｈｏｍｅ）を安価な方法で提供したりすることができるという理由から、その需要が最近益々高まっている。また、ＬＡＮやＷＡＮ（Ｗｉｄｅ Ａｒｅａ Ｎｅｔｗｏｒｋ）と、光ケーブルの急速な発展から数十台のメディアコンバーターを使用する需要もでてきた。
【０００４】
メディアコンバーターは、例えば、１００ＢＡＳＥ−ＴＸポートと１００ＢＡＳＥ−ＦＸポートとを有し、ラックに複数台搭載及び収納される場合もある。このようなラックは、メディアコンバーターの集中管理を可能にし、ＪＩＳ（日本工業）規格、ＥＩＡ（米国規格協会／電子工業界）規格などによって規格化されている。
【０００５】
少数のポートを有するメディアコンバーターを複数台利用することは多数のポートを有するメディアコンバーターよりも、交換、操作、配線などの観点から好ましい場合がある。例えば、各メディアコンバーターを異なる地域に割り当てる場合、メディアコンバーターが故障して交換する場合に影響がある地域は当該メディアコンバーターが割り当てられた地域に限定されるからである。
【０００６】
【発明が解決しようとする課題】
しかし、従来のラックは、メディアコンバーターの取り付け、交換、操作、配線の点で必ずしも適当な構造ではなかった。
【０００７】
即ち、従来は数台のメディアコンバーターを横一列に収納した一のトレーをフレームに固定したラックを使用していたが、最近ではこのようなトレーを複数段垂直に積み重ねるほど多数のメディアコンバーターが必要になってきた。従って、あるトレーにメディアコンバーターを取り付ける場合やあるトレーに搭載されたメディアコンバーターを交換するにはその上にあるトレーをフレームから取り外さなければならないため不便であった。また、電源ユニットがトレー部に搭載される場合にも同様の問題があった。
【０００８】
また、ある種の小型メディアコンバーターは、例えば、前面に１００ＢＡＳＥ−ＴＸポートを、背面に１００ＢＡＳＥ−ＦＸポートを、上面に各種の操作スイッチを有する。このためトレーに搭載されたメディアコンバーターの上面の各種スイッチを操作するためにはその上にあるトレーをフレームから煩雑にも取り外すか、メディアコンバーターの上面とその上にあるトレーとの間に指を入れて操作しなければならなかったため不便だった。
【０００９】
更に、かかるメディアコンバーターの前面がトレーの前面になるようにトレーに搭載されると１００ＢＡＳＥ−ＦＸポートはトレーの背面になり、ネットワークの配線構成から光ファイバをトレーの前面に出したいという需要を満足することができないという問題もあった。
【００１０】
そこで、本発明は、メディアコンバーターなどの通信機器や電源ユニットなどの取り付け、交換、操作、配線を容易にする収納装置を提供することを目的とする。
【００１１】
【課題を解決するための手段】
本発明の一側面としての収納装置は、高さ方向に積み重ねられた複数段のサブラックを有し、各サブラックは、外部フレームに固定された支持部と、各々が電源ユニットに接続されると共に伝送媒体に接続され、同一平面上で前記高さ方向に直交する幅方向に整列した複数台の通信機器を着脱可能に搭載する搭載部とを有し、前記搭載部は、前記電源ユニットを更に搭載すると共に、前記通信機器と前記電源ユニットが前記搭載部から着脱することができるように前記高さ方向及び前記幅方向に直交する長さ方向において前記支持部に対して移動可能とされている収納装置において、前記搭載部は、前記高さ方向において異なる高さを有する第１及び第２の面を有し、前記第１の面は前記電源ユニットを収納し、前記第２の面は前記伝送媒体を前記電源ユニットと異なる高さで収納し、前記第１及び第２の面は前記搭載部が前記支持部に対して移動する際に一体として移動することを特徴とする。かかる収納装置は、電源ユニットと通信機器とを同一平面上に配置していた従来の構造よりも、伝送媒体の収納スペースを広く確保することができるので伝送媒体の折れ曲がりによる破損を防止することができる。特に、伝送媒体が破損しやすい光ファイバーケーブルの場合にはかかる特徴は好ましい。
【００１２】
前記搭載部は前記第１及び第２の面に対して垂直に配置される前板部を有し、前記前板部は前記幅方向に延びる切欠き部を有し、前記伝送媒体を前記搭載部から前記長さ方向に沿った二方向に導出可能にしてもよい。かかる構成により、サブラックをネットワークの配線に弾力的にすることができる。
【００２３】
本発明の更なる目的又はその他の特徴は、以下添付図面を参照して説明される好ましい実施例によって明らかにされるであろう。
【００２４】
【発明の実施の形態】
以下、添付図面を参照して本発明の収納装置１０について説明する。ここで、図１は、収納装置１０の概略斜視図である。収納装置（又はラック）１０は、各々複数のメディアコンバーター２００と一の電源ユニット３００とを収納可能なサブラック１００を複数段積み重ねて一対のフレーム１２に固定部１８８を螺子１４で固定した構造を有する。このように、収納装置１０は、多数のメディアコンバーター２００を省スペースで収納することができる。
【００２５】
フレーム１２は、本実施形態では例示的にＬ字形状を有し、サブラック１００を固定するための複数の螺子孔１２ａを有している。フレーム１２は、本実施形態では金属性であるが、サブラック１００を支持できる限り、プラスチック製、木製等を問わない。
【００２６】
以下、サブラック１００の構造について、図２乃至図５を参照して説明する。ここで、図２は、サブラック１００の斜視図である。サブラック１００は、例えば、ＥＩＡ３１０Ｄ規格で規定される１９インチラックに組み込まれるサブラックである。サブラック１００は、メディアコンバーター２００を取り外し可能に収納し、メディアコンバーター２００の交換、操作及び配線を容易にするものであり、トレー部１１０とブラケット部１８０とを有する。
【００２７】
トレー部１１０は、ブラケット部１８０に対してＭ方向に移動可能に接続され、上板部１２０と、下板部１４０と、前板部１５０とを有する。以下、図３を参照して、トレー部１１０の構造について説明する。ここで、図３（ａ）及び（ｂ）は、それぞれ、トレー部１１０の分解斜視図及び組立後の斜視図である。
【００２８】
上板部１２０は、側面上部１２８ａを下板部１４０の側面上部１４６ａとかみ合わせ、螺子孔１２９及び前板部１５０の螺子孔１５１ａを介して螺子止めすることで下板部１４０の上に配置し、メディアコンバーター２００及び電源ユニット３００を保持する。上板部１２０は、前部１２２と、中央孔１２４と、後部１２６と、側部１２８を有する。上板部１２０は、例えば、一枚の金属板状部材をほぼＵ字形状に折り曲げ加工することによって形成される。
【００２９】
前部１２２は、ブリッジ部１３２と螺子孔１３３とを有してメディアコンバーター２００を保持及び固定する。
【００３０】
ブリッジ部１３２は、所定の高さを有するほぼ直方体形状を有し、メディアコンバーター２００を位置決めし、使用時の回転を防止する。図７（ａ）に最も良く示すように、ブリッジ部１３２は、Ｍ方向に２個、Ｍ方向と直交するＮ方向に１１個形成されている。隣接するブリッジ部１３２の間若しくはブリッジ部１３２と側部１２８との間にメディアコンバーター２００が配置される。ここで、図７（ａ）及び（ｂ）は、それぞれ、サブラック１００の上面図及び正面図である。
【００３１】
１２個の螺子孔１３３は、図３（ａ）及び図７（ａ）に示すように、Ｎ方向に整列し、Ｍ方向に整列する２つのブリッジ部１３２の間近傍に配置される。図８（ａ）に示すメディアコンバーター２００の底面２４０に設けられた図示しない螺子孔と連通する。前部１２２の裏側から螺子を、螺子孔１３３を介して、メディアコンバーター２００の螺子孔に嵌合することによって、メディアコンバーター２００をブリッジ部１３２に固定する。図８（ａ）及び（ｂ）は、それぞれ、メディアコンバーター２００の斜視図及び正面図である。
【００３２】
螺子孔１３３はメディアコンバーター２００を強固に固定することができる反面、取り付けに螺子回しなどを必要とするため煩雑である。このため、代替的な実施形態においてはブリッジ部１３２とメディアコンバーター２００との機械的な係合によってブリッジ部１３２にメディアコンバーター２００を固定する。このような機械的係合は当業界で既知のいかなる方法をも使用することができる。
【００３３】
例えば、図４（ａ）に示すように、ブリッジ部１３２を弾性変形可能な板バネ等により構成されたブリッジ部１３２ａに置換することができる。ここで、図４（ａ）はブリッジ部１３２の変形例の概略断面図である。ブリッジ部１３２ａは矢印方向に弾性力で付勢されており、何らかの手段で矢印と逆方向に開いてメディアコンバーター２００を挿入することにより、ブリッジ部１３２ａの弾性力を利用してメディアコンバーター２００を固定することができる。
【００３４】
また、ブリッジ部１３２を図４（ｂ）に示すＬ字状のブリッジ部１３２ｂと置換し、メディアコンバーター２００をメディアコンバーター２００Ａと置換してもよい。ここで、図４（ｂ）はブリッジ部１３２の別の変形例の概略断面図である。ブリッジ部１３２ｂは、上板部１２０に近い底部の幅が上部の幅よりも広くなっている。また、メディアコンバーター２００Ａは、図８（ａ）に示す底面２４０に近い部分の筐体形状が幅広にされている点でメディアコンバーター２００と異なる。かかるブリッジ部１３２ｂの底部にメディアコンバーター２００Ａの幅広にされた底部を紙面の手前から奥側へ又は奥側から手前へ挿入することによってメディアコンバーター２００Ａをブリッジ部１３２ｂに固定することができる。
【００３５】
再び図３（ａ）に戻って、上板部１２０の中央孔１２４は、メディアコンバーター２００に接続される光ファイバーケーブル４００が通過する孔である。光ファイバーケーブル４００は、後述するように、破損しやすく所定の曲率半径を維持しなければならない。また、ネットワークの配線構成よって光ファイバーケーブル４００を収納装置１０の正面から導出したい場合もあるし、背面から導出したい場合もある。中央孔１２４は、下板部１４０と共に、光ファイバーケーブル４００をメディアコンバーター２００及び電源ユニット３００とは異なる高さに収納している。
【００３６】
これにより、光ファイバーケーブル４００は、収納装置１０の正面に導出するにも背面に導出するにもメディアコンバーター２００及び電源ユニット３００が邪魔にならない。また、例えば、光ファイバーケーブル４００と電源ユニット３００とが同一平面状にあれば、例えば、後部１２６において電源ユニット３００の隣の図７（ａ）に示す領域１２７から背面に導出しなければならないが、これでは図７（ａ）において一番左側のメディアコンバーター２００に接続される光ファイバーケーブル４００は電源ユニット３００の角３０１で折れ曲がって破損する惧れがある。このように中央孔１２４は、光ファイバーケーブル４００の導出を確保し、破損を防止している。中央孔１２４は、メディアコンバーター２００ごとに分割された複数の（例えば、１２個の）孔から構成されてもよいが光ファイバーケーブル４００を所定の曲率半径を維持しつつ下板部１４０上に導入及び収納するためには本実施形態のようになるべく広い方が好ましい。
【００３７】
また、中央孔１２４は後述する放熱孔１４２及び図５（ａ）に示す開口部１８４に連通しているため放熱孔としても機能する。ここで、図５（ａ）及び（ｂ）は、それぞれ、サブラック１００の底面図及び背面図である。
【００３８】
本実施形態の変形例においては、メディアコンバーター２００が上板部１２０又は下板部１４０に配置され、電源ユニット３００が下板部１４０上に配置され、光ファイバーケーブル４００が上板部１２０の後部１２６から収納装置１０の背面に導出される。
【００３９】
再び図３（ａ）に戻って、上板部１２０の後部１２６は、電源ユニット３００を搭載する。後部１２６は、Ｍ方向には電源ユニット３００よりも多少長く、Ｎ方向には電源ユニット３００よりも多少狭く図７（ａ）に示すように領域１２７を形成している。必要があれば、後部１２６にも放熱孔が形成されてもよい。
【００４０】
上板部１２０は一対の側部１２８を有する。側部１２８は、上部１２８ａ、中部１２８ｂを有し、上から見るとほぼＵ字形状をしている。
【００４１】
側部１２８の上部１２８ａは、側部１２８の外側にコの字形に折れ曲がっており、後述する下板部１４０の側板部１４６とかみ合わさり、後述する前板部１５０の螺子孔１５１ａに連通する螺子孔１２９を介して固定される。
【００４２】
側部１２８の中部１２８ｂは上板部１２０から垂直に起立し、その高さは少なくともメディアコンバーター２００及び電源ユニット３００の高さよりも高く設定される。
【００４３】
図３（ａ）に戻って、下板部１４０は、メディアコンバーター２００の光ファイバーケーブル４００を収納し、光ファイバーケーブル４００が収納装置１０の前面及び後面から導出されることを可能にする。下板部１４０は、図３（ａ）に示すように、底板１４１と、一対の側板部１４６とを有する。下板部１４０は、例えば、一枚の板状金属部材を折り曲げて作成され、側板部１４６によって上板部１２０を支持している。
【００４４】
底板１４１は、放熱孔１４２及び開口部１４４及び切欠き１４５が形成されている。底板１４１は、光ファイバーケーブル４００の余長分を収納するのに十分な広さを有する。即ち、光ケーブル４００は規格によってケーブル長が決められているため余長分が生じてしまうことがある。しかし、本実施形態の底板１４１が光ケーブル４００を接続する際に光ファイバーケーブル４００の余長分を収納するので、光ファイバーケーブル４００が折れ曲がって損傷するのを防止する。底板１４１に収納された光ファイバーケーブル４００は前板部１５０の切欠き部１５４から前面に導出されてもよいし、図５（ｂ）に示す後面から導出されてもよい。
【００４５】
放熱孔１４２は、上板部１２０の中央孔１２４に連通し、メディアコンバーター２００及び電源ユニット３００を放熱するためのメッシュ状の多数の孔である。
【００４６】
開口部１４４は、図３（ａ）及び図５（ａ）に示すように、上板部１２０の前部１２２の螺子孔１３３に連通するように形成される。かかる開口部１４４を介して螺子孔１３３及びメディアコンバーター２００の底面２４０の図示しない螺子孔を螺子止めする。
【００４７】
切欠き１４５は、上板部１２０に電源ユニット３００を搭載する時に上板部１２０の裏から螺子止めをしやすくするためのものである。
【００４８】
側板部１４６は、上部１４６ａと、中部１４６ｂと、下部１４６ｃとを有し、上から見るとほぼＵ字形状をしている。上部１４６ａは、側板部１４６の外側にＬ字型に折れ曲げられた形状をしており、上板部１２０の側部１２８とかみ合わさる。
【００４９】
中部１４６ｂは、底板１４１に対して垂直に起立しており、中部１４６ｂに設けられている図示しない螺子孔を介してストッパー１６０を固定する。
【００５０】
ストッパー１６０はＬ字形をしており、トレー部１１０の引き出し過ぎによって光ケーブル４００及び電源ケーブル３５４が抜けるのを防止すると共に、トレー部１１０がブラケット部１８０から脱落するのを防止する。
【００５１】
下部１４６ｃは、中部１４６ｂに対して垂直に設けられ、後述する前板部１５０に設けられている螺子孔１５２ａに連通する螺子孔１４８を介して固定される。
【００５２】
前板部１５０は、上板部１２０及び下板部１４０に対して垂直に配置され、その高さは後述するブラケット部１８０の側部の高さとほぼ同じである。前板部１５０は、上部１５１と、下部１５２と、開口部１５３と、切欠き部１５４と、両縁部１５６とから構成される。
【００５３】
前板部１５０は、上板部１２０及び下板部１４０と平行になるように上下をＬ字形に折り曲げて上部１５１及び下部１５２を形成している。上部１５１には、上板部１２０に設けられている螺子孔１２９と連通して螺子で前板部１５０を固定するための螺子孔１５１ａを有し、下部１５２には、下板部１４０に設けられている螺子孔１４８と連通して螺子で前板部１５０を固定するための螺子孔１５２ａを有している。
【００５４】
前板部１５０には、メディアコンバーター２００の正面２１０に対応した１２個の矩形状の開口部１５３が設けられている。かかる開口部１５３を介して、ＵＴＰをメディアコンバーター２００の正面２１０の１００ＢＡＳＥ−ＴＸポート２１２に挿入することができる。
【００５５】
前板部１５０には、図７（ｂ）に最も良く示されるように、メディアコンバーター２００が搭載される範囲に亘って切欠き部１５４が更に設けられる。かかる切欠き部１５４により光ファイバーケーブル４００をサブラック１００の前面から導出することができ、サブラック１００をネットワークの配線に弾力的にすることができる。
【００５６】
前板部１５０の両縁部１５６には、ハンドル１５７を螺子止めするための２つの螺子孔１５８と螺子１５９とを有している。
【００５７】
ハンドル１５７は、トレー部１１０をブラケット部１８０からユーザが移動するための金属又はプラスチック製のほぼＵ字形状の取っ手である。ハンドル１５７は前板部１５０に設けられた螺子孔１５８を介して螺子止めされる。ハンドル１５７は、サブラック１００が図１に示すように数段積み重なった状態であっても、トレー部１１０をブラケット部１８０から容易に移動することができる。トレー部１１０をブラケット部１８０から引き出すことができることによって、後述するように、メディアコンバーター２００の交換、操作及び配線を容易に行うことができる。
【００５８】
前板部１５０に設けられた螺子１５９は、トレー部１１０を完全に押し入れた時に、後述するブラケット部１８０に設けられた突起１９６の孔を介して、トレー部１１０をブラケット部１８０に固定するためのものである。
【００５９】
ブラケット部１８０は、トレー部１１０を移動可能に支持し、底板１８１と一対の側板１８７とを有し、板状金属部材をほぼＵ字形状に折り曲げ加工することによって形成される。
【００６０】
底板１８１は、開口部１８４と、切欠き部１８６とを有する。開口部１８４は、下板部１４０の放熱孔１４２と協同してメディアコンバーター２００及び電源ユニット３００の放熱を行う。切欠き部１８６は、電源ケーブル３５４を通過させてタイラップ（Ｔｉｅｓ Ｃａｂｌｅ）３６０によって固定するためのＭ方向に延びる複数の孔である。切欠き部１８６は、Ｍ方向に延びているので、トレー部１１０がＭ方向に移動する際に電源ケーブル３５４が切れることを防止する。実際に使用される切欠き部１８６は複数のうちの一つであるが、複数個設けることで、電源ケーブル３５４に負担をかけない方向に自由に固定ができる。
【００６１】
各側板１８７は、底板１８１から略垂直に起立し、前面に２つの螺子孔１８９を有する固定部１８８と、レール１９０と、突起１９６とを有する。固定部１８８は、図１に示すように、フレーム１２に螺子孔１２ａ及び１８９及び螺子１４を介して固定される。また、図６（ａ）及び（ｂ）に示すように、側板１８７のトレー部１１０に面している側に螺子孔１９４を介してコの字型のレール１９０及び突起１９６が取り付けられている。
【００６２】
レール１９０には、２つの切欠き１９２が設けられている。レール１９０にトレー部１１０に設けられたストッパー１６０を通すことで、トレー部１１０をブラケット部１８０に対して移動可能にすることができる。また、トレー部１１０を可動させている際にストッパー１６０を切欠き１９２にはめ込むことでトレー部を静止させることができる。よって、トレー部１１０の引き出し過ぎによって光ケーブル４００及び電源ケーブル３５４が抜けるのを防止すると共に、トレー部１１０がブラケット部１８０から脱落するのを防止する。
【００６３】
メディアコンバーター２００は、ＵＴＰと光ケーブル４００という異なるメディア上の信号を変換する。このようなメディアコンバーター２００には、例えば、アライドテレシス社製のＭＭＣ１００シリーズ（ＭＭＣ１０１、ＭＭＣ１０２、ＭＭＣ１０３、ＭＭＣ１０３ＬＨなど）を適用することができる。メディアコンバーター２００は、図８（ａ）に示すように、正面２１０と、上面２２０と、背面２３０と、底面２４０とを有する。
【００６４】
正面２１０には、図８（ｂ）に示すように、１００ＢＡＳＥ−ＴＸポート２１２と、リンクテストスイッチ２１４と、設定を確認するための３つのＬＥＤ２１６とが設けられている。
【００６５】
１００ＢＡＳＥ−ＴＸポート２１２は、例えば、イーサネットのハブなどの外部装置に接続された図示しないＵＴＰを接続するためのコネクタである。１００ＢＡＳＥ−ＴＸポート２１２は、Ｆｕｌｌ Ｄｕｐｌｅｘ（全二重）／Ｈａｌｆ Ｄｕｐｌｅｘ（半二重）自動認識機能を持ち、接続される外部装置に応じて適切なモードで動作する。
【００６６】
リンクテストスイッチ２１４は、１００ＢＡＳＥ−ＴＸポート２１２と後述する１００ＢＡＳＥ−ＦＸポート２３２に接続される２つの通信機器の接続状況を表示するノーマルモードと、該当ポートと接続機器間のリンクが確立するかどうかを表示するテストモードとを選択するスイッチである。
【００６７】
ＬＥＤ２１６は、通信における設定を確認するためのものであり、リンクテストを識別するＬＥＤ２１６ａと、１００ＢＡＳＥ−ＦＸポート２３２の接続を識別するＬＥＤ２１６ｂと、１００ＢＡＳＥ−ＴＸポート２１２の接続を識別するＬＥＤ２１６ｃとを有する。
【００６８】
上面２２０には、通信モード切替スイッチ２２２と、ＭＤＩ／ＭＤＩ−Ｘ切替スイッチ２２４とが設けられている。通信モード切替スイッチ２２２は、通信モード（Ｆｕｌｌ Ｄｕｐｌｅｘ／Ｈａｌｆ Ｄｕｐｌｅｘ）を設定するスイッチで、１００ＢＡＳＥ−ＦＸポート２３２に接続される機器の通信モードと同様のモードに設定される。ＭＤＩ／ＭＤＩ−Ｘ切替スイッチ２２４は、１００ＢＡＳＥ−ＴＸポート２１２をカスケード接続用ポートとして使用するか、通常のＭＤＩ−Ｘポートとして使用するかを設定するためのスイッチである。
【００６９】
背面２３０には、１００ＢＡＳＥ−ＦＸポート２３２と、ＤＣジャック２３４とが設けられている。１００ＢＡＳＥ−ＦＸポート２３２は光ファイバーケーブル４００を接続するためのコネクタである。ＤＣジャック２３４は、ＤＣケーブル３４０を接続するコネクタである。光ファイバーケーブル４００には、例えば、光ネットワークが接続される。
【００７０】
電源ユニット３００は上板部１２０に螺子止めされる。電源ユニット３００は、メディアコンバーター２００に電気を供給し、１２個のＤＣケーブル差込口３０２と一本の電源ケーブル３５４とを有する。ＤＣケーブル差込口３０２には、ＤＣケーブル３４０が接続され、ＤＣケーブル３４０を介して各メディアコンバーター２００に電源を供給する。
【００７１】
電源ケーブル３５４の先端にはプラグ３５２が接続されている。プラグ３５２を外部の図示しないコンセントに挿入することによって、電源ユニット３００を通電する。電源ユニット３００は、上面、背面及び両側面に放熱孔が配列され内部の回路を放熱して熱破壊から保護している。
【００７２】
光ファイバーケーブル４００は、光通信を行うためのケーブルで透明なガラスやプラスチックなどの誘電体でできた細い繊維からなる。構造は、中心に屈折率の大きいコア部、その周辺を屈折率の小さいクラッド部が包み込むという形をしている。光に変換された電気信号は、コア／クラッド境界面で屈折率差のために全反射され、コアの中を進み伝送される。また、光ファイバーケーブル４００には、コアの直径とコア／クラッドの屈折率の差により、多数のモードが伝搬可能なマルチモードと１つのモードだけを伝搬するシングルモードとがある。光ファイバーケーブル４００は、減衰が少ないので中継器なしでの長距離の伝送が可能であり、また、ケーブルの直径も細く１本あたりの伝送量が１００Ｍｂｐｓ〜数Ｇｂｐｓと大きいのでケーブルの断面積で比べると、金属ケーブルよりも遥かに大容量の伝送が可能であるという特長をもっている。しかし、光ファイバーケーブル４００は曲げの力に弱く、ある一定限度を超えて曲がると損傷してしまうという欠点がある。
【００７３】
次に、メディアコンバーター２００の取り付け、交換及び配線について説明する。メディアコンバーター２００を取り付ける場合、サブラック１００をブラケット部１８０から所定距離だけ引き出す。次いで、トレー部１１０のブリッジ部１３２の所望の位置にメディアコンバーター２００を載置する。この際、メディアコンバーター２００は、正面２１０が開口部１５３を向き、上面２２０が上を向くように配置される。次に、開口部１４４及び螺子孔１３３を介して、裏側から螺子止めする。図４に示すブリッジ部を使用する場合は螺子止めは省略される。
【００７４】
螺子止め終了後に、ＵＴＰを１００ＢＡＳＥ−ＴＸポート２１２に接続し、ＤＣケーブル３４０を電源ユニット３００のＤＣケーブル差込口３０２に接続する。また、光ケーブル４００を１００ＢＡＳＥ−ＦＸポート２３２に接続する。この際、光ファイバーケーブル４００は前面の切欠き部１５４から導出してもよいし、背面から導出してもよい。
【００７５】
メディアコンバーター２００を交換する場合はこれと逆の作業を繰り返す。
【００７６】
このように、サブラック１００をブラケット部１８０から所定距離だけ引き出すことによって、上側のサブラック１００を取り外さなくても、取り付け及び交換が行えるので便利である。また、レール１９０に設けられた切欠き１９２及びトレー部１１０に設けられたストッパー１６０により、トレー部１１０がブラケット部１８０から脱落することを防止する。
【００７７】
また、光ファイバーケーブル４００を前面からも背面からも導出することができるので、光ファイバーケーブル４００に接続されるネットワーク機器が収納装置１０の前面にあっても背面にあっても接続することができる。その際、光ファイバーケーブル４００の余長分は底板１４１が収納するので折れ曲がりによる破損を防止することができる。
【００７８】
また、光ファイバーケーブル４００を導出する場合はメディアコンバーター２００や電源ユニット３００による折れ曲がりなどがない。例えば、光ファイバーケーブル４００をサブラック１００の後方から導出する場合、従来のように電源ユニット３００の隣の領域１２７を通過させるために光ケーブル４００を曲げる必要がないため、光ケーブル４００が損傷を防止することができる。
【００７９】
次に、電源ユニット３００の取り付け、交換及び配線について説明する。まず、電源ユニット３００を、トレー部１１０の上板部１２０にネジによって固定する。一般に、電源ユニット３００は、いずれのメディアコンバーター２００の取り付けよりも先に上板部１２０に取り付けられ、上板部１２０を下板部１４０に取り付ける前に電源ユニット３００が上板部１２０に取り付けられる。もちろん、既にトレー部１１０が組み立てられた後であれば、下板部１４０の底板に設けられた切欠き１４５を介して取り付けることができる。既に、サブラック１００が収納装置１０に取り付けられた後であればトレー部１１０をブラケット部１８０から所定距離だけ引き出して作業を行う。
【００８０】
次に、電源ユニット３００の電源ケーブル３５４をいずれかの切欠き部１８６から導出する。いずれの切欠き部１８６を選択するかは外部コンセントとプラグ３５２との位置関係による。ブラケット部１８０の切欠き部１８６にタイラップ３６０を通し、余った電源ケーブル３５４をタイラップ３６０によってまとめる。
【００８１】
電源ユニット３００を交換する場合はこれと逆の作業を繰り返す。各メディアコンバーター２００が電源ユニット３００から電力を得ているので、あるメディアコンバーター２００の交換は他のメディアコンバーター２００に影響を与えない。
【００８２】
このように、電源ユニット３００をブラケット部１８０から所定距離だけ引き出すことによって、上側のサブラック１００を取り外さなくても、取り付け及び交換が行えるので便利である。また、タイラップ３６０により、電源ケーブル３５４がばらけることを防止することができる。更に、複数の切欠き部１８６はプラグ３５２と外部コンセントとの接続を容易にする。また、切欠き部１８６は、トレー部１１０の移動方向（即ち、Ｍ方向）に延びているので、電源ケーブル３５４がトレー部１１０の移動時に切欠き部１８６を移動することができ、破損や断線を防止することができる。
【００８３】
次に、メディアコンバーター２００の操作及び操作の変更について説明する。メディアコンバーター２００がトレー部１１０に取り付けられた後、通信モード切替スイッチ２２２及びＭＤＩ／ＭＤＩ−Ｘ切替スイッチ２２４が操作される。通信モード切替スイッチ２２２によってＦｕｌｌ Ｄｕｐｌｅｘ（双方向同時通信）又はＨａｌｆ Ｄｕｐｌｅｘ（片方向ずつの通信）を選択することができる。また、ＵＴＰ接続後、メディアコンバーター２００上面に設けられているＭＤＩ／ＭＤＩ−Ｘ切替スイッチ２２４でＨＵＢ（リピータやスイッチとのカスケード接続用ポートとして使用）又はＸＰＣ（通常の１００ＢＡＳＥ−ＴＸポートとして使用）を選び設定する。設定の変更の場合も同様の作業を行う。
【００８４】
メディアコンバーター２００の設定は、正面２１０に設けられたリンクテストスイッチ２１４やＬＥＤ２１６によって確認することができる。
【００８５】
このように、サブラック１００をブラケット部１８０から所定距離だけ引き出すことによって、上側のサブラック１００を取り外さなくても、メディアコンバーター２００の操作が行えるので便利である。
【００８６】
【発明の効果】
本発明によれば、メディアコンバーターなどの通信機器や電源ユニットなどの取り付け、交換、操作、配線を容易にする収納装置を提供することができる。
【図面の簡単な説明】
【図１】  本発明の収納装置の概略斜視図である。
【図２】  図１に示す収納装置に使用されるサブラックの斜視図である。
【図３】  図２に示すサブラックのトレー部の分解斜視図及び組み立てられた後の斜視図である。
【図４】  図２に示すサブラックのブリッジ部の２つの変形例を示す断面図である。
【図５】  図２に示すサブラックの底面図及び背面図である。
【図６】  図２に示すサブラックの左側面図及びストッパー機構を説明するための斜視図である。
【図７】  図２に示すサブラックの上面図及び正面図である。
【図８】  図１に示す収納装置に収納されるメディアコンバーターの斜視図及び正面図である。
【符号の説明】
１０            収納装置
１００          サブラック
１１０          トレー部
１２０          上板部
１４０          下板部
１５０          前板部
１５９          ハンドル
１６０          ストッパー
１８０          ブラケット部
１８４          開口部
１８６          切欠き部
２００          メディアコンバーター
３００          電源ユニット
３５４          電源ケーブル
【図１】
0004358466.tif 000002
【図２】
0004358466.tif 000003
【図４】
0004358466.tif 000004
【図６】
0004358466.tif 000005
【図７】
0004358466.tif 000006
【図８】
0004358466.tif 000007
【図３】
0004358466.tif 000008
【図５】
0004358466.tif 000009